(57)【要約】【課題】不使用時に邪魔にならない棚を有する洗面台を提供すること。【解決手段】洗面台１は、吐水される湯水を受けるボウル部２の奥側から上方に向かって起立する後壁部２３に設けられる棚４を備え、棚４の少なくとも一部が後壁部２３に収納される収納状態と、後壁部２３から突出する突出状態と、の間で位置を切替可能な切替機構を有する。切替機構は、第１の棚４の前面部４４を後壁部２３側へ押圧することで、第１の棚４が手前側へスライド移動するプッシュオープン機構８であることが好ましい。【選択図】図１
2020156599.tif 000002
【特許請求の範囲】
【請求項１】
吐水される湯水を受けるボウル部の奥側から上方に向かって起立する後壁部に設けられる棚を備え、
前記棚の少なくとも一部が前記後壁部に収納される収納状態と、前記後壁部から突出する突出状態と、の間で位置を切替可能な切替機構を有する、洗面台。
【請求項２】
前記切替機構は、前記棚の前面部を前記後壁部側へ押圧することで、前記棚が手前側へスライド移動するプッシュオープン機構である、請求項１に記載の洗面台。
【請求項３】
前記棚は、第１の棚であり、
前記第１の棚は、内部に収納される第２の棚を有し、
前記第１の棚及び前記第２の棚には、前記第２の棚が前記第１の棚に収納された第１状態と、前記第２の棚が前記第１の棚の外へ引き出された第２状態と、の間で位置を変更可能な変更機構が設けられる、請求項１又は２に記載の洗面台。
【請求項４】
前記変更機構は、前記第２の棚を、前記第１の棚の一端に回転可能に接続する回転軸を有し、前記第２の棚が前記回転軸により回転することで前記第１状態から前記第２状態へと移動する、請求項３に記載の洗面台。
【発明の詳細な説明】
【技術分野】
【０００１】
本発明は、洗面台に関する。
【背景技術】
【０００２】
従来、洗面台のボウル部の上方に、洗面時に使用する小物等を置く棚を設けることが知られている。棚は、ボウル部の奥側から起立する後壁部に設けられ、左右方向に沿って延びるとともに、後壁部から手前側へ突出するように配置されている（例えば、特許文献１参照）。
【先行技術文献】
【特許文献】
【０００３】
【特許文献１】特開２０１８−１１１９９５号公報
【発明の概要】
【発明が解決しようとする課題】
【０００４】
洗面台では、使用者がボウル部へ体を曲げて顔を近づけて洗ったり、その姿勢で洗髪をしたりして使用することがある。このため、ボウル部の後壁部から突出している棚が一時的に邪魔になる場合があった。
【課題を解決するための手段】
【０００５】
本発明は、吐水される湯水を受けるボウル部（例えば、後述のボウル部２）の奥側から上方に向かって起立する後壁部（例えば、後述の後壁部２３）に設けられる棚（例えば、後述の第１の棚４）を備え、前記棚の少なくとも一部が前記後壁部に収納される収納状態と、前記後壁部から突出する突出状態と、の間で位置を切替可能な切替機構を有する、洗面台に関する。
【図面の簡単な説明】
【０００６】
【図１】本実施形態の洗面台の正面図である。
【図２】本実施形態の洗面台の側面図であり、突出状態における第２状態を示す。
【図３】本実施形態の洗面台のボウル部の斜視図である。
【図４】本実施形態の洗面台の棚及び第２の棚の収納状態を示す。
【図５】本実施形態の洗面台の棚及び第２の棚の突出状態における第１状態を示す。
【発明を実施するための形態】
【０００７】
以下、本発明の実施形態について図面を参照しながら詳細に説明する図１は、本実施形態の洗面台１の正面図であり、図２は、側面図である。図１及び図２に示すように、洗面台１は、ボウル部２と、水栓装置３と、第１の棚４と、第２の棚５と、上部キャビネット６と、下部キャビネット７と、を有する。洗面台１は、第１の棚４の少なくとも一部が後壁部２３内に収納される収納状態と、後壁部２３から突出する突出状態との間で位置を切り替える切替機構を有するなお、本明細書において、洗面台１の奥側とは、洗面台１を設置する空間の壁面側を意味し、手前側とは、奥側に対向するとともに使用時に使用者が位置する側を意味する。左右方向とは、洗面台１を正面から視た場合の左右を言う。
【０００８】
ボウル部２は、洗面台１に設けられ、吐水される湯水を受けて貯水や排水を行う部分である。ボウル部２は、凹部２１と、上面部２２と、後壁部２３と、を有する凹部２１は、吐水される湯水を受け止める上部が開口した略直方体の形状を有する。凹部２１の底面には、排水口及び排水栓が配置される（図示省略）上面部２２は、凹部２１の周縁に沿って形成される平坦な面であり、洗面台１の奥側から手前側、及び左右方向に延びる。
【０００９】
後壁部２３は、上面部２２の奥側から上方へ向かって起立する。後壁部２３は、洗面台１を設置する壁面に沿って配置される。後壁部２３は、開口部２３１と、開口部２３１内に取り付けられる後述するプッシュオープン機構８のアウターレール８１（図４及び図５参照）と、を有する開口部２３１は、後壁部２３の左右方向の略中央の上方に、後述する第１の棚４を収納可能な奥行きを有して形成された略直方体形状の中空部であるアウターレール８１は、開口部２３１における左右方向の両端部で奥側から手前側へ延びる側面に取り付けられる金具である。アウターレール８１は、断面視略コの字形状で、コの字の開口が開口部２３１の内側に向くように取り付けられる。
【００１０】
上部キャビネット６は、後壁部２３の上方に配置され、壁面に取り付けられる戸棚である。上部キャビネット６は、３つに分かれた上部キャビネット収納部６１、６２、６３と、上部キャビネット収納部６１、６２、６３の前面に開閉可能に取り付けられた扉６１ａ、６２ａ、６３ａと、を有する。扉６１ａ、６２ａ、６３ａの前面は鏡になっている。
【００１１】
下部キャビネット７は、洗面台１の設置面に設置され、ボウル部２を支持する収納棚である。下部キャビネット７は、複数の引き出し７１と、蹴込部７２と、を有する引き出し７１は、洗面台１の奥側から手前側に引き出し可能な箱体で構成され、内部に物品を収納可能である蹴込部７２は、引き出し７１の手前側の表面よりも奥まった位置で、設置面まで上下方向に延びる面である。
【００１２】
図３は、ボウル部２の斜視図である水栓装置３は、図３に示すように、ボウル部２の凹部２１へ向けて湯水を排出する装置であり、後壁部２３に取り付けられている。水栓装置３は、吐水栓３１と、レバー３２と、排水栓操作ツマミ３３と、を有する吐水栓３１は、後壁部２３に固定された略円盤状の台座３１１と、台座３１１から取り外して引き出すことのできるシャワー吐水口３１２とを有するレバー３２は、吐水栓３１の左右方向（図では右側）に離れて配置されている。レバー３２は、前後左右に動かすことで、吐水栓３１から吐水される湯水の温度及び水量等を調整可能に構成されている排水栓操作ツマミ３３は、レバー３２から左右方向に離れて配置されている。排水栓操作ツマミ３３は、排水栓操作ツマミ３３の引き出し又は押し込み操作により、凹部２１の底面に配置された排水栓を開閉するものである。
【００１３】
第１の棚４は、後壁部２３に設けられる可動棚である。第１の棚４は、水栓装置３の上方に、左右方向に延びるとともに後壁部２３から手前側へ延びる平坦な板面を有する。図３に示すように、第１の棚４は、略直方体の形状で、上面部４１、下面部４２、一対の側面部４３、前面部４４及び背面部４５と、収納部４７と、軸部４６と、を有する。また第１の棚４は、収納部４７内に収納される第２の棚５を有する。
【００１４】
前面部４４は、第１の棚４における洗面台１の手前側正面の面であり、背面部４５は前面部４４に対向する後壁部２３側の面である。前面部４４は、開口している一対の側面部４３は、左右方向の両端部で奥行方向に延びる面である上面部４１は、第１の棚４の上方の面であり、下面部４２は、上面部４１に対向する下方の面である。
【００１５】
収納部４７は、前面部４４に形成された開口から奥に形成され、上面部４１、下面部４２、一対の側面部４３、及び背面部４５により囲まれる中空の空間である。
【００１６】
軸部４６は、後述する第２の棚５が回転可能に取り付けられる細い円柱状の部材である。軸部４６は、第１の棚４の内部において左右方向の一方側（図３では右側）に取り付けられる。軸部４６は、収納部４７内で一端が上面部４１に、他端が下面部４２に接続されている。
【００１７】
図４は、第１の棚４の収納状態、図５は、第１の棚４の突出状態における第１状態を示す。図４及び図５では、説明の便宜のため、水栓装置３は省略して示している。図４及び図５に示すように、第１の棚４は、収納状態と、突出状態との間で位置を切替機構により切替可能に取り付けられている。切替機構とは、具体的には、プッシュオープン機構８である。
【００１８】
プッシュオープン機構８は、後壁部２３の開口部２３１に取り付けられたアウターレール８１と、第１の棚４の側面部４３に取り付けられたインナーレール８２と、弾性部材８３と、ラッチ機構（図示省略）と、により構成される。プッシュオープン機構８は、第１の棚４の前面部４４を押圧することで第１の棚４が手前側へスライド移動させる。
【００１９】
インナーレール８２は、第１の棚４における一対の側面部４３の外側に取り付けられる。インナーレール８２は、アウターレール８１よりも幅及び高さが一回り小さい断面視略コの字状のレールであり、アウターレール８１の内側にスライド可能に係合する。
【００２０】
弾性部材８３は、バネであり、アウターレール８１の後端部に取り付けられている。弾性部材８３は、インナーレール８２を手前側へ付勢している。
【００２１】
ラッチ機構は、弾性変形により係合するプラスチック等の爪状部と爪状部が係合する被係合部とを有する。ラッチ機構は、収納状態では、爪状部と被係合部とが係合することで、弾性部材８３の付勢力に対抗しながら第１の棚４を収納部４７内に収納させる。
【００２２】
図４に示すように、収納状態では、第１の棚４の前面部４４と後壁部２３の前面とは、おおむね面一とになるように第１の棚４が収納される。
【００２３】
図５に示すように、突出状態では、使用者が第１の棚４の前面部４４を押圧することでラッチ機構の爪状部と被係合部との係合が解除される。第１の棚４は、弾性部材８３に付勢されることよってインナーレール８２とともに手前側へ移動する。第１の棚４の前方への移動により第１の棚４が後壁部２３より引き出され、使用可能になる。この状態が、突出状態における第１状態であるなお、第１の棚４の側面部４３と開口部２３１の対向する側面との間には、突出状態を維持するためのロック機構８４が設けられている。ロック機構８４は、インナーレール８２の後端側に上方に向かって付勢する短いバネ８４ａと、バネ８４ａの上部に配置される爪部８４ｂと、後壁部２３の開口部２３１における側面の前端側に形成された、爪部８４ｂが係合する被係合部８４ｃとにより構成される。引き出された第１の棚４は、バネ８４ａにより付勢された爪部８４ｂが被係合部８４ｃに嵌まることにより、仮固定されて使用される。使用後、第１の棚４を収納する際には、前面部４４を後壁部２３側へ押す。ロック機構８４の爪部８４ｂは斜めに形成されているので、被係合部８４ｃから外れてロック機構８４が解除され、開口部２３１内に収納される。
【００２４】
図３に示すように、第２の棚５は、第１の棚４の収納部４７に入れ子状に収納される第１の棚４よりも一回り小さな棚である。第２の棚５は、前面部５１、背面部５２、一対の側面部５３、底面部５４、及び回転軸５５を有し、上部が開口した細長いトレー形状を有する。
【００２５】
前面部５１は、第２の棚５が第１の棚４の収納部４７に収納された状態で、第１の棚４の前面部４４の開口を塞ぐ正面の面を構成する背面部５２は、前面部５１に対向する後壁部２３側の面である一対の側面部５３は、左右方向の両端部で奥行方向に延びる面である。一対の側面部５３は、後述する変更機構により一端側で第１の棚４に接続され、他端側の側面部は、第１の棚４の収納部４７から引き出しやすいように、曲面を有して形成されている底面部５４は、第２の棚５において小物を載置可能な平面である。
【００２６】
回転軸５５は、第１の棚４の軸部４６の周囲を覆うように略円筒状に形成され、一対の側面部５３の一方側の角の位置に配置される。回転軸５５は、第２の棚５を、第１の棚４の一端に回転可能に接続する。
【００２７】
第２の棚５は、第１の棚４及び第２の棚５に設けられる変更機構により、第１状態と第２状態との間で位置が変更される第１状態とは、図５に示すように、突出状態において第２の棚５が第１の棚４に収納された状態である第２状態とは、図２及び図３に示すように、突出状態において第２の棚が第１の棚４の収納部４７から外へ引き出された状態である。
【００２８】
変更機構は、第１の棚４における軸部４６と、第２の棚５における回転軸５５により構成される。図３に示すように、軸部４６は固定されており、使用者が第２の棚５の他方の側面部に手を掛けて手前に引き出すと、回転軸５５が軸部４６の周囲を回転することで第２の棚５が第１状態から第２状態へ移動する第２の棚５の第１の棚４に対する開き角度は、使用者が使いやすい角度に調整すればよい。図２では、第２の棚５と第１の棚４は略直角の関係となり、第２の棚５は奥側から手前側へ真っ直ぐに開かれている。一方、図３のように第２の棚５は第１の棚４に対して傾斜していてもよく、逆に第２の棚５を後壁部２３側へ大きく開くことも可能である。
【００２９】
第２の棚５は、突出状態から第２状態へ引き出して物を置く棚として使用してもよい。一方、第２の棚５は、上部が開口したトレー形状であるため、アクセサリー等の小さな小物を収納しておき、必要に応じて引き出して物を取り出すように使用してもよい。
【００３０】
本実施形態によれば、以下の効果を奏する本実施形態では、洗面台１を、吐水される湯水を受けるボウル部２の奥側から上方に向かって起立する後壁部２３に設けられる第１の棚４を含んで構成した。第１の棚４の少なくとも一部が後壁部２３に収納される収納状態と、後壁部２３から突出する突出状態と、の間で位置を切替可能な切替機構を含んで構成した第１の棚４を使用しない間、少なくともその一部を後壁部２３に収納しておくことができるので、洗面や洗髪時に第１の棚４が邪魔にならない。このため、ボウル部２周りのスペースを有効に活用することができる。
【００３１】
本実施形態では、切替機構を、第１の棚４の前面部４４を後壁部２３側へ押圧することで、第１の棚４が手前側へスライド移動するプッシュオープン機構８としたプッシュオープン式に第１の棚４が移動するため、収納状態と突出状態の切り替えが簡単に行うことができ、利便性が高まる。プッシュオープン機構８にすることで取手等を設ける必要がなくなるため、部品点数を低減することができる。
【００３２】
本実施形態では、第１の棚４を、内部に収納される第２の棚５を含んで構成した。第１の棚４及び第２の棚５に、第２の棚５が第１の棚４内に収納された第１状態と、第２の棚５が第１の棚の外へ引き出された第２状態と、の間で位置を変更可能な変更機構を設けた第２の棚５を使用しない間は、第１の棚４の内部に収納しておくことができる。必要な場合、第２の棚５を第１の棚４から引き出すことができ、第２の棚５を第１の棚４から引き出した第２状態では、第１の棚４と第２の棚５を合わせた増加した面積に物を置くことができる。第２の棚５が第１の棚４に出し入れが可能なので、第２の棚５を小引き出しのように使用することができ、利便性が高まる。
【００３３】
本実施形態では、変更機構に、第２の棚５を、第１の棚４の一端に回転可能に接続する回転軸５５を含んで構成した回転軸５５を回転させることで第２の棚５の位置を第１状態から第２状態へ変更させることができるので、第２の棚５の引き出し及び収納を容易に行うことができる。
【００３４】
本発明は上記実施形態に限定されるものではなく、本発明の目的を達成できる範囲での変形、改良等は本発明に含まれる例えば、上記実施形態では、変更機構を第２の棚５の回転軸５５を第１の棚４の一端の軸部４６に接続することで構成しているが、これに限られない。変更機構は、例えば、入れ子式の第２の棚を望遠鏡方式で前方へ引き出して使用してもよい。この場合、第２の棚よりも小さな第３の棚を第２の棚から引き出し可能に配置してもよい第１の棚に箱状の引き出しを複数配置し、手前側へ引き出し可能に構成してもよい。棚は、後壁部内ではなく、後壁部の外面に沿うように収納されてもよい。この形態では、例えば、棚部は回転によって、収納状体と突出状態とを切り替えるようにしてもよい。
【符号の説明】
【００３５】
１      洗面台
２      ボウル部
４      第１の棚（棚）
５      第２の棚
８      プッシュオープン機構
２３    後壁部
５５    回転軸
【図１】
2020156599.tif 000003
【図２】
2020156599.tif 000004
【図３】
2020156599.tif 000005
【図４】
2020156599.tif 000006
【図５】
2020156599.tif 000007